(57)【要約】【課題】薬の飲み忘れを適切に防止すること。【解決手段】注文者の注文者識別情報と注文された品目の品目識別情報との入力を受け付ける入力手段と、入力された前記品目識別情報と、品目識別情報ごとに品目が薬の服用に関する食に該当するか否かを示す情報を記憶する食条件記憶手段とを用いて、注文された品目が前記食に該当するか否かを判定する判定手段と、前記食に該当すると判定された場合に、注文者識別情報と注文の履歴情報とを関連付けて記憶する注文履歴記憶手段と、入力された前記注文者識別情報とを用いて、前記注文者の当日の前記食の回数を判定する食回数判定手段と、判定された回数と、前記食の回数に応じて服用すべき薬に関する情報を記憶する薬情報記憶手段とを用いて、注文に係る前記食に関連して服用すべき薬の有無を判定する服用要否判定手段と、前記服用要否判定手段による判定結果を出力する出力手段とを有する。【選択図】図４
2011072749.tif 000002
【特許請求の範囲】
【請求項１】
注文者の注文者識別情報と注文された品目の品目識別情報との入力を受け付ける入力手段と、
入力された前記品目識別情報と、品目識別情報ごとに品目が薬の服用に関する食に該当するか否かを示す情報を記憶する食条件記憶手段とを用いて、注文された品目が前記食に該当するか否かを判定する判定手段と、
前記食に該当すると判定された場合に、注文者識別情報と注文の履歴情報とを関連付けて記憶する注文履歴記憶手段と、入力された前記注文者識別情報とを用いて、前記注文者の当日の前記食の回数を判定する食回数判定手段と、
判定された回数と、前記食の回数に応じて服用すべき薬に関する情報を記憶する薬情報記憶手段とを用いて、注文に係る前記食に関連して服用すべき薬の有無を判定する服用要否判定手段と、
前記服用要否判定手段による判定結果を出力する出力手段とを有する服用支援装置。
【請求項２】
前記薬情報記憶手段は、前記食の回数に応じて服用すべき薬に関する情報として該薬の服用間隔を示す情報を記憶し、
前記服用要否判定手段によって服用すべき薬が有ると判定された場合に、薬の提供時期の履歴情報を記憶した提供履歴記憶手段を用いて、前回の薬の提供時期から前記服用期間が経過しているかを判定する妥当性判定手段を有し、
前記出力手段は、前記服用期間が経過していないと判定された場合は、前記注文に係る前記食に関連して服用すべき薬が有ることを示す情報は出力しない請求項１記載の服用支援装置。
【請求項３】
前記服用要否判定手段は、前記薬情報記憶手段に記憶されている前記服用期間に基づいて、次回の服用可能時間を算出し、
前記出力手段は、前記服用可能時間を出力する請求項２記載の服用支援装置。
【請求項４】
前記服用要否判定手段は、前記食回数判定手段によって判定された回数に基づいて、当日の残りの食の回数を算出し、算出された該回数に対応して服用すべき薬の有無を前記薬情報記憶手段を用いて判定する請求項１乃至３いずれか一項記載の服用支援装置。
【請求項５】
コンピュータに、
注文者の注文者識別情報と注文された品目の品目識別情報との入力を受け付ける入力手順と、
入力された前記品目識別情報と、品目識別情報ごとに品目が薬の服用に関する食に該当するか否かを示す情報を記憶する食条件記憶手段とを用いて、注文された品目が前記食に該当するか否かを判定する判定手順と、
前記食に該当すると判定された場合に、注文者識別情報と注文の履歴情報とを関連付けて記憶する注文履歴記憶手段と、入力された前記注文者識別情報とを用いて、前記注文者の当日の前記食の回数を判定する食回数判定手順と、
判定された回数と、前記食の回数に応じて服用すべき薬に関する情報を記憶する薬情報記憶手段とを用いて、注文に係る前記食に関連して服用すべき薬の有無を判定する服用要否判定手順と、
前記服用要否判定手順による判定結果を出力する出力手順とを実行させるための服用支援プログラム。
【請求項６】
コンピュータが実行する服用支援方法であって、
注文者の注文者識別情報と注文された品目の品目識別情報との入力を受け付ける入力手順と、
入力された前記品目識別情報と、品目識別情報ごとに品目が薬の服用に関する食に該当するか否かを示す情報を記憶する食条件記憶手段とを用いて、注文された品目が前記食に該当するか否かを判定する判定手順と、
前記食に該当すると判定された場合に、注文者識別情報と注文の履歴情報とを関連付けて記憶する注文履歴記憶手段と、入力された前記注文者識別情報とを用いて、前記注文者の当日の前記食の回数を判定する食回数判定手順と、
判定された回数と、前記食の回数に応じて服用すべき薬に関する情報を記憶する薬情報記憶手段とを用いて、注文に係る前記食に関連して服用すべき薬の有無を判定する服用要否判定手順と、
前記服用要否判定手順による判定結果を出力する出力手順とを有する服用支援方法。
【発明の詳細な説明】
【技術分野】
【０００１】
本発明は、服用支援装置、服用支援プログラム、及び服用支援方法に関し、特に薬の服用を支援する服用支援装置、服用支援プログラム、及び服用支援方法に関する。
【背景技術】
【０００２】
高齢化社会を迎え、老人ホーム等の介護施設においても業界内での競争が激しくなることが予想される。競争に勝ち残るため、介護施設ではユーザビリティーの拡充が進められている。
【０００３】
一方、高齢者は生活習慣病等の常用薬を服用していることが多い。薬の効き目を一定に保つには、薬の成分が血液中において一定の濃度で保たれることが望ましい。そのため、薬は一日数回に分けて服用するように処方される。但し、毎日数回にわたって決まった時間に忘れずに薬を服用するのは困難である。したがって、薬の服用方法は、食前、食後、又は食間といったように、食事の時期と関連付けて指示されるのが一般的である。
【０００４】
しかし、食事の時期と関連付けられて服用が指示されたとしても、薬の飲み忘れは完全には防止できない。むしろ、うっかり薬を飲み忘れてしまうのはよくあることである。
【０００５】
そこで、従来、予め指定した時間になると薬の服用時間であることを通知するといった技術が提案されている（例えば、特許文献１〜４）。
【先行技術文献】
【特許文献】
【０００６】
【特許文献１】特開２００１−３２５３５９号公報
【特許文献２】特開２００３−２３５９４２号公報
【特許文献３】特開２００７−１２２１８３号公報
【特許文献４】特許第３４４１６９１号公報
【発明の概要】
【発明が解決しようとする課題】
【０００７】
しかしながら、薬の服用時期が食事の時期と関連付けられるのは、薬の飲み忘れの防止という観点からだけではなく、人体への影響という観点からも好ましいという側面もある。例えば、食前の服用は、胃を刺激して食欲を増進させたり、吐き気を抑制したりするという目的がある。一方、食後の服用は胃に対する負担を軽減するという目的がある。そうすると、単に服用時間が通知されるだけでは、薬の飲み忘れの防止という観点と、人体への影響という観点の双方の目的を効果的に達成するのは困難であるという問題がある。
【０００８】
すなわち、予め指定された服用時間に、服用者が食事をしている又はしようとしているとは限らない。この場合、服用時間の通知に応じ、食事と無関係に薬を服用してしまうと、人体への影響という観点において効果的な服用を行うことはできない。一方、服用時間の通知を受けてから食堂へ赴く場合、実際に食事をするまでに時間を要し、その間に薬の服用のことを忘れてしまう可能性がある。また、服用時間の通知を受けたときに、食堂へ向かえる状況でない場合もある。この場合は、更に食事をするまでに時間を要し、薬の飲み忘れの可能性は更に高まる。
【０００９】
本発明は、上記の点に鑑みてなされたものであって、薬の飲み忘れを適切に防止することのできる服用支援装置、服用支援プログラム、及び服用支援方法の提供を目的とする。
【課題を解決するための手段】
【００１０】
そこで上記課題を解決するため、服用支援装置は、注文者の注文者識別情報と注文された品目の品目識別情報との入力を受け付ける入力手段と、入力された前記品目識別情報と、品目識別情報ごとに品目が薬の服用に関する食に該当するか否かを示す情報を記憶する食条件記憶手段とを用いて、注文された品目が前記食に該当するか否かを判定する判定手段と、前記食に該当すると判定された場合に、注文者識別情報と注文の履歴情報とを関連付けて記憶する注文履歴記憶手段と、入力された前記注文者識別情報とを用いて、前記注文者の当日の前記食の回数を判定する食回数判定手段と、判定された回数と、前記食の回数に応じて服用すべき薬に関する情報を記憶する薬情報記憶手段とを用いて、注文に係る前記食に関連して服用すべき薬の有無を判定する服用要否判定手段と、前記服用要否判定手段による判定結果を出力する出力手段とを有する。
【発明の効果】
【００１１】
開示された装置、プログラム、又は方法によれば、薬の飲み忘れを適切に防止することができる。
【図面の簡単な説明】
【００１２】
【図１】本発明の実施の形態における服用支援システムの構成例を示す図である。
【図２】薬票の例を示す図である。
【図３】本発明の実施の形態における服用支援サーバのハードウェア構成例を示す図である。
【図４】本発明の実施の形態における服用支援サーバの機能構成例を示す図である。
【図５】服用支援サーバが実行する処理手順を説明するためのフローチャートである。
【図６】薬情報記憶部の構成例を示す図である。
【図７】注文履歴記憶部の構成例を示す図である。
【図８】食条件記憶部の構成例を示す図である。
【図９】薬提供履歴記憶部の構成例を示す図である。
【図１０】食回数判定処理の処理手順を説明するためのフローチャートである。
【図１１】服用妥当性判定処理の処理手順を説明するためのフローチャートである。
【図１２】薬を提供させるための処理及び薬の提供履歴の記録処理の処理手順を説明するためのフローチャートである。
【図１３】薬票データの構成例を示す図である。
【図１４】食間服用薬判定処理の処理手順を説明するためのフローチャートである。
【図１５】次回服用時期判定処理の処理手順を説明するためのフローチャートである。
【図１６】標準摂取時間記憶部の構成例を示す図である。
【図１７】在庫確認処理の処理手順を説明するためのフローチャートである。
【図１８】薬票出力処理の処理手順を説明するためのフローチャートである。
【発明を実施するための形態】
【００１３】
以下、図面に基づいて本発明の実施の形態を説明する。図１は、本発明の実施の形態における服用支援システムの構成例を示す図である。本実施の形態では、服用支援システム１を、老人ホーム等の介護施設（以下、単に「施設」という。）に適用した例について説明する。したがって、以下における注文者は、施設の利用者（以下、単に「利用者」という。）の中で食事を注文する者に相当する。
【００１４】
同図において、服用支援システム１は、服用支援サーバ１０、注文入力装置２０、薬票出力装置３０、及び在庫管理装置４０等を有する。
【００１５】
注文入力装置２０には、施設の食堂において、食事の注文情報が入力される。注文情報は、注文された品目を特定する情報、及び注文者を特定する情報を含む。注文入力装置２０は、入力された情報を服用支援サーバ１０に供給する。注文入力装置２０の好適な具体例は、食堂の運用形態によって異なる。例えば、接客係が注文者のテーブルに注文をとりに行く形態であれば、携帯型のＰＯＳ（Point Of Sales system）端末が注文入力装置２０として好適であろう。また、注文者に食券を購入させ、食券の提示によって注文が行われる形態であれば、食券販売機が注文入力装置２０として好適であろう。更に、カフェテリア形式のようにレジにおいて注文の受け付けが行われる形態であれば、レジ端末が注文入力装置２０として好適であろう。
【００１６】
在庫管理装置４０は、薬保管庫４１に保管されている薬（内服薬）の在庫状況を、薬の服用が必要な利用者（以下、「服用者」という。）ごとに検知し、該在庫状況を示す情報を服用支援サーバ１０に供給する。薬保管庫４１には、服用者ごとに区別して薬が保管されている。例えば、服用者ごとに引き出しが割り当てられ、各引き出しには当該引き出しに割り当てられた服用者の薬が保管される。なお、薬は、１回の服用分ごとに小分け袋に分割されて保管されるのが望ましい。各小分け袋には、例えば、服用者の利用者ＩＤ及び小分け袋に含まれている薬の情報が記録されたＲＦＩＤ（Radio Frequency Identification）タグが含められる。利用者ＩＤは、施設において利用者ごとに一意に割り当てられている識別子である。ＲＦＩＤのタグの記録内容が在庫管理装置４０に接続された非図示のＲＦＩＤタグリーダによって読み取られることにより、在庫管理装置４０によって薬の在庫状況が自動的に把握される。なお、ＲＦＩＤタグの読み取り及び在庫状況の服用支援サーバ１０への供給（通知）は、薬保管庫４１のいずれかの引き出しが開閉されたタイミングでよい。薬の在庫状況が変化するのは薬保管庫４１へ薬が補充される場合、又は薬保管庫４１から薬が取り出される場合であり、いずれの場合においても引き出しは開閉されるからである。引き出しの開閉に関しても、引き出しに設置されたセンサを介して在庫管理装置４０によって自動的に検知可能としてもよい。そうすることにより、薬の補充又は取り出しに応じて、自動的に在庫状況が在庫管理装置４０によって把握され、当該在庫状況が服用支援サーバ１０に通知されるようになる。
【００１７】
但し、薬の在庫状況の把握は、必ずしも自動化されていなくてもよい。管理者等によって手入力されてもよい。この場合、小分け袋ごとにＲＦＩＤタグが含まれていなくてよい。また、引き出しにセンサは設置されていなくてもよい。
【００１８】
服用支援サーバ１０は、注文入力装置２０より供給される注文情報と、後述される各種管理情報とに基づいて、注文者が今回の注文に関連して服用すべき薬の有無を判定する。ここでいう、「有無」とは、在庫の有無ではなく、薬を服用すべきであるか否か、すなわち、注文者が服用者であるか否かを意味する。服用すべき薬が有る場合、服用支援サーバ１０は、服用すべき薬が有ることを示す情報等を薬用出力装置３０に転送する。
【００１９】
薬票出力装置３０は、服用支援サーバ１０より転送される情報を出力する。本実施の形態において、薬票出力装置３０は、服用支援サーバ１０より転送される情報を薬票といった形態で出力する。薬票は、服用すべき薬の情報等が記載された紙片である。したがって、薬票出力装置３０の具体例としては、プリンタが挙げられる。
【００２０】
図２は、薬票の例を示す図である。同図において、薬票には、記述ｄ１、メッセージｍ１〜ｍ５等が印字されている。
【００２１】
記述ｄ１は、保管場所ＩＤを示す記述である。保管場所ＩＤは、薬の保管場所の識別子であり、本実施の形態では、薬保管庫４１の引き出しのＩＤに相当する。メッセージｍ１は、今回の注文の食事の食前又は食後に服用すべき薬が有ることを示すメッセージである。メッセージｍ２は、食間に服用すべき薬が有ることを示すメッセージである。メッセージｍ３は、当日に服用すべき薬が残っていることを示すメッセージである。メッセージｍ４は、薬の服用間隔を考慮して、次回に服用可能な時間を示すメッセージである。メッセージｍ５は、薬保管庫４１への薬の補充を促すメッセージである。
【００２２】
斯かる薬票に基づいて、薬保管庫４１より薬が取り出され、当該薬が注文者（服用者）に提供される。したがって、注文者から見た場合、注文を行うと、必要に応じて薬が提供されるという仕組みになっている。
【００２３】
どのような形態で薬が提供されるかについては、食堂の運用形態に応じて適切なものを採用すればよい。例えば、注文された品物が注文者の席へ配膳される形態の場合、配膳者が、出力された薬票に基づいて薬保管庫４１より薬を取り出し、取り出した薬を注文された品目と共に注文者に配膳してもよい。
【００２４】
一方、カフェテリア形式のように、注文者自らが品物を配膳する場合、例えば、薬の提供担当者が、出力された薬票に基づいて薬保管庫４１より薬を取り出し、取り出した薬を注文者に配布してもよい。または、注文者自らが薬票に基づいて薬保管庫４１より薬を取り出してもよい。
【００２５】
図３は、本発明の実施の形態における服用支援サーバのハードウェア構成例を示す図である。図３の服用支援サーバ１０は、それぞれバスBで相互に接続されているドライブ装置１００と、補助記憶装置１０２と、メモリ装置１０３と、ＣＰＵ１０４と、インタフェース装置１０５とを有する。
【００２６】
服用支援サーバ１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００２７】
メモリ装置１０３は、プログラムの起動指示があった場合に、補助記憶装置１０２からプログラムを読み出して格納する。ＣＰＵ１０４は、メモリ装置１０３に格納されたプログラムに従って服用支援サーバ１０に係る機能を実行する。インタフェース装置１０５は、ネットワークに接続するためのインタフェースとして用いられる。
【００２８】
図４は、本発明の実施の形態における服用支援サーバの機能構成例を示す図である。同図において、服用支援サーバ１０は、注文情報入力部１１１、食判定部１１２、食回数判定部１１３、服用要否判定部１１４、服用妥当性判定部１１５、薬提供処理部１１６、在庫確認部１１７、薬票出力部１１８、注文履歴記憶部１２１、食条件記憶部１２２、薬情報記憶部１２３、薬提供履歴記憶部１２４、及び標準摂取時間記憶部１２５等を有する。
【００２９】
注文情報入力部１１１は、注文入力装置２０より注文情報を受信し、当該注文情報に基づいて注文の履歴情報を注文履歴記憶部１２１に記録する。注文履歴記憶部１２１は、補助記憶装置１０２において、注文の履歴情報を記憶する記憶領域（例えば、データベース又はファイル等）である。食判定部１１２は、注文内容（注文された品目）が、薬の服用に関する「食」に該当するか否かを判定する。薬の服用に関する「食」とは、薬の服用において「食前」、「食後」、又は「食間」の「食」として扱うのに適切な品目をいう。例えば、コーヒー等の飲料だけの注文は、薬の服用に関する「食」として扱うのは適切ではないと考えられる。なお、本実施の形態において、単に「食」というとき、薬の服用に関する「食」をいう。注文された品目が食に該当するか否かは、食条件記憶部１２２に基づいて判定される。食条件記憶部１２２は、補助記憶装置１０２において、メニューに含まれている品目ごとに食に該当するか否かを示す情報を記憶する記憶領域である。
【００３０】
食回数判定部１１３は、注文履歴記憶部１２１に基づいて、注文された当日の食の回数を判定する。服用要否判定部１１４は、注文内容が食に該当する場合に、食回数判定部１１３によって判定された回数と薬情報記憶部１２３とに基づいて、今回の注文に係る食に関連して注文者が服用すべき薬の有無（服用の要否）を判定する。服用すべき薬が有る場合、服用要否判定部１１４は、当該薬に関する情報を薬情報記憶部１２３より取得する。薬情報記憶部１２３は、補助記憶装置１０２において、服用者ごとに服用のタイミング（時期）や薬の在庫状況等を示す情報を記憶する記憶領域である。
【００３１】
服用妥当性判定部１１５は、薬提供履歴記憶部１２４に基づいて、注文者による今回の注文に係る食に関連した薬の服用が、時期的に妥当又は適切であるか否かを判定する。例えば、前回の服用時から所定期間経過しているか否かが判定される。薬提供履歴記憶部１２４は、補助記憶装置１０２において、服用者に対する薬の提供履歴（提供実績）を示す情報を記憶する記憶領域である。薬提供処理部１１６は、薬の提供履歴示す情報等を薬提供履歴記憶部１２４に記録する。
【００３２】
在庫確認部１１７は、注文者が服用者である場合に、薬情報記憶部１２３に基づいて、薬の在庫の有無（薬の補充の要否）を判定する。薬票出力部１１８は、薬票の出力を薬票出力装置３０に実行させる。標準摂取時間記憶部１２５は、補助記憶装置１０２において、朝食、昼食、夕食のそれぞれについて標準的な摂取時間を記憶する記憶領域である。
【００３３】
以下、服用支援サーバ１０の処理手順について説明する。図５は、服用支援サーバが実行する処理手順を説明するためのフローチャートである。ここでは、食堂に訪れた利用者が注文者として注文を行う場面を想定する。注文に応じて利用者ＩＤ及び注文内容（注文された品目）が注文入力装置２０に入力される。注文入力装置２０が、利用者ＩＤ及び注文された品目のＩＤ（以下、「品目ＩＤ」という。）を服用支援サーバ１０に送信すると、図５の処理が開始される。なお、利用者ＩＤは、例えば、各利用者に配布されているＩＣカードより読み取られてもよいし、手入力されてもよい。
【００３４】
ステップＳ１０１において、注文情報入力部１１１は、注文入力装置２０より送信された利用者ＩＤ及び品目ＩＤ等を含む注文情報を受信する。続いて、注文情報入力部１１１は、利用者ＩＤに係る注文者は服用者であるか否かを薬情報記憶部１２３を用いて判定する（Ｓ１０２）。
【００３５】
図６は、薬情報記憶部の構成例を示す図である。同図において、薬情報記憶部１２３には、服用者こと、かつ、服用のタイミングごとにレコードが登録される。各レコードは、利用者ＩＤ、氏名、食回数、服用時期、服用方法、服用間隔、在庫数、及び保管場所ＩＤ等の項目を有する。
【００３６】
利用者ＩＤ、氏名は、服用者の利用者ＩＤ、氏名である。食回数は、１日のうちの何回目の食に対応するレコードであるかを示す項目である。１日３食とすると、基本的に、１回目は朝食、２回目は昼食、３回目は夕食に対応する。服用時期は、薬を服用する時期が、朝、昼、又は夕のいずれかであるかを示す。服用方法は、食後、食前、又は食間のいずれに該当するかを示す。在庫数は、当該レコードに係る薬の在庫数である。保管場所ＩＤは、薬の保管場所（薬保管庫４１の引き出し）の識別子である。
【００３７】
ステップＳ１０２では、受信された利用者ＩＤ（以下、「注文者ＩＤ」という。）と値が一致する利用者ＩＤが薬情報記憶部１２３に記録されているか否かに基づいて、注文者が服用者であるか否かが判定される。本実施の形態において、薬情報記憶部１２３に利用者ＩＤが登録されるのは服用者に限定されるからである。
【００３８】
注文者が服用者でない場合（Ｓ１０２でＮｏ）、図５の処理は終了する。注文者が服用者である場合（Ｓ１０２でＹｅｓ）、注文情報入力部１１１は、注文情報に基づいて注文の履歴情報を注文履歴記憶部１２１に記録する（Ｓ１０３）。
【００３９】
図７は、注文履歴記憶部の構成例を示す図である。同図において、注文履歴記憶部１２１には、注文ごとにレコードが登録される。複数の品目が注文された場合、品目ごとにレコードが登録されてもよいし、複数の品目に対して１つのレコードが登録されてもよい。本実施の形態では、便宜上後者を採用する。各レコードは、利用者ＩＤ、注文年月日、注文時刻、及び食フラグ等の項目を有する。
【００４０】
利用者ＩＤには、注文情報として受信された利用者ＩＤが登録される。注文年月日には、注文情報が受信された年月日が登録される。注文時刻には、注文情報が受信された時刻が登録される。食フラグは、注文された品目が食に該当するか否かを示すフラグである。食に該当する場合、食フラグの値は「１」とされ、食に該当しない場合、食フラグの値は「０」とされる。このタイミングでは、注文された品目が食に該当するか否かは不明であるため、既定値の「０」が記録される。
【００４１】
続いて、食判定部１１２は、注文情報に含まれている品目ＩＤと食条件記憶部１２２とを用いて、注文された品目が食に該当するか否かを判定する（Ｓ１０４）。
【００４２】
図８は、食条件記憶部の構成例を示す図である。同図に示される食条件記憶部１２２には、食に該当する品目の一覧が記録され、品目ごとに品目ＩＤ及び品目名が記録されている。
【００４３】
したがって、ステップＳ１０４では、注文情報として受信された品目ＩＤが食条件記憶部１２２に登録されているか否かが判定される。複数の品目ＩＤが受信された場合、少なくとも一つの品目ＩＤが食条件記憶部１２２に登録されていれば、注文された品目は食に該当すると判定される。なお、食に該当しない品目の一覧が食条件記憶部１２２に記録されていてもよい。その場合、受信された品目ＩＤが食条件記憶部１２２に登録されていなければ、注文された品目は食に該当すると判定すればよい。
【００４４】
注文された品目が食に該当すると判定された場合（Ｓ１０４でＹｅｓ）、食判定部１１２は、注文履歴記憶部１２１における、今回の注文に対するレコードの食フラグの値を「０」から「１」に更新する（Ｓ１０５）。
【００４５】
続いて、食回数判定部１１３は、注文履歴記憶部１２１を用いて、今回の注文に係る食が当日において何回目の食であるか否か、又は朝食、昼食、若しくは夕食のいずれのカテゴリに該当するかを判定する（Ｓ１０６）。
【００４６】
続いて、服用要否判定部１１４は、食回数判定部１１３の判定結果と薬情報記憶部１２３とを用いて、今回の注文に係る食の前後（食前又は食後）に注文者が服用すべき薬の有無を判定する（Ｓ１０７）。具体的には、服用要否判定部１１４は、薬情報記憶部１２３（図６）において注文者ＩＤと一致する利用者ＩＤを有するレコードを抽出する。服用要否判定部１１４は、抽出されたレコードの中で、食回数又は服用時期が、食回数判定部１１３によって判定された回数又はカテゴリに一致し、服用方法が食前又は食後であるレコードの有無を判定する。例えば、注文者ＩＤが「１００１」であり、今回の注文が１回目の食又は朝食である場合、図６の例に基づけば、１番目のレコードが該当レコード（以下、「今回服用薬レコード」という。）となる。今回服用薬レコードが有る場合、服用要否判定部１１４は、今回の注文に係る食の前後に注文者が服用すべき薬（以下、「今回服用薬」という。）は有ると判定する。なお、食回数及び服用時期の双方が用いられる必要はなく、いずれか一方に基づいて判定が行われればよい。
【００４７】
今回服用薬が有る場合（Ｓ１０７でＹｅｓ）、服用妥当性判定部１１５は、注文者に対する前回の薬の提供時期に鑑みて、現時点における服用の妥当性を薬提供履歴記憶部１２４及び今回服用薬レコードを用いて判定する（Ｓ１０８）。
【００４８】
図９は、薬提供履歴記憶部の構成例を示す図である。同図において、薬提供履歴記憶部１２４には、薬の提供ごとにレコードが登録されている。各レコードは、利用者ＩＤ、提供年月日、提供時刻、服用時期、及び服用方法等の項目を有する。利用者ＩＤは、薬の提供を受けた者の利用者ＩＤである。提供年月日は、薬が提供された年月日である。提供時刻は、薬が提供された時刻である。但し、後述されるように、現実に薬が提供された時刻ではなく、薬提供履歴記憶部１２４にレコードが登録された時刻である。服用時期は、提供された薬の服用時期である。服用方法は、提供された薬の服用方法である。
【００４９】
現時点における服用は妥当であると判定されると（Ｓ１０９でＹｅｓ）、薬提供処理部１１６は、注文者に薬を提供させるための処理、及び薬提供履歴記憶部１２４への薬の提供履歴の記録処理等を実行する（Ｓ１１０）。注文者に薬を提供させるための処理とは、薬票へ出力するメッセージの生成等である。
【００５０】
続いて、服用要否判定部１１４は、薬情報記憶部１２３を用いて、今回の注文に係る食の食間に注文者が服用すべき薬の有無の判定を行う（Ｓ１１１）。なお、ステップＳ１０７において、今回服用薬は無いと判定された場合（Ｓ１０７でＮｏ）、ステップＳ１０８〜Ｓ１１０は実行されることなく、ステップＳ１１１が実行される。続いて、服用要否判定部１１４は、薬情報記憶部１２３を用いて、次回の薬の服用時期を判定する（Ｓ１１２）。なお、ステップＳ１０８において、現時点における服用は妥当でないと判定された場合（Ｓ１０９でＮｏ）、ステップＳ１１０及びＳ１１１は実行されることなく、ステップＳ１１２が実行される。
【００５１】
続いて、在庫確認部１１７は、薬情報記憶部１２３を用いて、注文者について薬保管庫４１への薬の補充の要否を判定する（Ｓ１１３）。続いて、薬票出力部１１８は、ステップＳ１１０において生成されるメッセージや、ステップＳ１１１〜Ｓ１１３における処理における判定結果等に基づいて、薬票の出力を薬票出力装置３０に実行させる（Ｓ１１４）。
【００５２】
続いて、ステップＳ１０６の詳細について説明する。図１０は、食回数判定処理の処理手順を説明するためのフローチャートである。
【００５３】
ステップＳ２０１において、食回数判定部１１３は、注文者の当日の食に係るレコードを注文履歴記憶部１２１より検索する。具体的には、利用者ＩＤが注文者ＩＤに一致し、注文年月日が当日の年月日に一致し、食フラグが１であるレコードが検索される。なお、当日の年月日は、服用支援サーバ１０のシステムタイムに基づいて判定すればよい。続いて、食回数判定部１１３は、検索されたレコード数を、注文者の当日の食の回数として判定する（Ｓ２０２）。この時点では、今回の注文に関しても注文履歴記憶部１２１に記録されているため、当該レコード数は、そのまま注文者の当日の食の回数となるからである。
【００５４】
続いて、食回数判定部１１３は、当日の食の回数に応じて、今回の注文に係る食が、朝食、昼食、又は夕食のいずれであるかを判定する（Ｓ２０３）。すなわち、１回目の食である場合、朝食であると判定される（Ｓ２０４）、２回目の食である場合、昼食であると判定される（Ｓ２０５）。３回目の食である場合、夕食であると判定される（Ｓ２０６）。
【００５５】
続いて、図５のステップＳ１０８の詳細について説明する。図１１は、服用妥当性判定処理の処理手順を説明するためのフローチャートである。
【００５６】
ステップＳ３０１において、服用妥当性判定部１１５は、薬提供履歴記憶部１２４に基づいて、注文者に対する前回の（最後の）薬の提供日時を判定する。具体的には、利用者ＩＤが注文者ＩＤに一致し、注文年月日及び提供時刻が直近のレコードの注文年月日及び提供時刻が、前回の薬の提供日時として判定される。続いて、服用妥当性判定部１１５は、前回の薬の提供日時から現在時刻までの経過時間（以下、単に「経過時間」という。）を算出する（Ｓ３０２）。なお、現在時刻は、服用支援サーバ１０のシステムタイムに基づいて判定すればよい。
【００５７】
続いて、服用妥当性判定部１１５は、薬情報記憶部１２３における今回服用薬レコードの服用間隔の値（以下、単に「服用間隔」という。）を取得する（Ｓ３０３）。続いて、服用妥当性判定部１１５は、経過時間と服用間隔とを比較することにより、今回服用薬の服用のために十分な時間が経過しているか否かを判定する（Ｓ３０４）。経過時間が服用間隔以上である場合（Ｓ３０４でＹｅｓ）、服用妥当性判定部１１５は、今回服用薬の服用は妥当であると判定する（Ｓ３０５）。経過時間が服用間隔未満である場合（Ｓ３０４でＮｏ）、服用妥当性判定部１１５は、今回服用薬の服用は妥当でないと判定する（Ｓ３０６）。
【００５８】
続いて、図５のステップＳ１１０の詳細について説明する。図１２は、薬を提供させるための処理及び薬の提供履歴の記録処理の処理手順を説明するためのフローチャートである。
【００５９】
ステップＳ４０１において、薬提供処理部１１６は、薬情報記憶部１２３における今回服用薬レコードに基づいて、薬提供履歴記憶部１２４（図９）に新たなレコードを追加する。新たなレコードの利用者ＩＤ、服用時期、服用方法には、今回服用薬レコードの利用者ＩＤ、服用時期、服用方法が転記される。新たなレコードの提供年月日、提供時刻には、現時点の年月日、時刻が記録される。
【００６０】
続いて、薬提供処理部１１６は、今回服用薬レコードの在庫数を１減少させる（Ｓ４０２）。続いて、薬提供処理部１１６は、今回服用薬レコードの服用方法に基づいて、食前又は食後の服用薬が有るがことを示すメッセージ等を薬票データに記録する（Ｓ４０３）。薬票データとは、薬票に印字させる情報を管理するデータであり、例えば、メモリ装置１０３に生成される。
【００６１】
図１３は、薬票データの構成例を示す図である。同図に示されるように、１つの薬票に対応する薬データは、利用者ＩＤ，保管場所、及びメッセージごとのデータ項目を有する。メッセージごとのデータ項目は、図２の薬票における、それぞれのメッセージｍｎ（ｎは正の整数）に対応する。ステップＳ４０３では、メッセージｍ１にメッセージが記録される。なお、利用者ＩＤには、所定のタイミングで（例えば、ステップS１０４でＹｅｓであると判定されたときに）注文者ＩＤが記録される。
【００６２】
続いて、薬提供処理部１１６は、今回服用薬レコードより保管場所ＩＤを取得する（Ｓ４０４）。続いて、薬提供処理部１１６は、取得された保管場所ＩＤを、薬票データの保管場所ＩＤの項目に記録する（Ｓ４０５）。
【００６３】
図１２の処理は、今回の食に関する服用が妥当であると判定された場合に実行される。したがって、保管場所ＩＤ及びメッセージｍ１は、注文に係る食に関する服用が妥当である場合に限って薬票データに記録される。したがって、注文に係る食に関する服用が妥当でない場合、薬票には保管場所及びメッセージｍ１は印字されない。すなわち、注文者には、注文に係る食に関連して服用すべき薬の服用を促す情報は通知されない。
【００６４】
続いて、図５のステップＳ１１１の詳細について説明する。図１４は、食間服用薬判定処理の処理手順を説明するためのフローチャートである。
【００６５】
ステップＳ５０１において、服用要否判定部１１４は、食回数判定部１１３の判定結果（今回の食の回数又はカテゴリ）と薬情報記憶部１２３とを用いて、今回の注文に係る食の食間に注文者が服用すべき薬の有無を判定する。具体的には、服用要否判定部１１４は、薬情報記憶部１２３（図６）において注文者ＩＤと一致する利用者ＩＤを有するレコードを抽出する。服用要否判定部１１４は、抽出されたレコードの中で、食回数又は服用時期が、食回数判定部１１３によって判定された回数又はカテゴリに一致し、服用方法が食間であるレコードの有無を判定する。例えば、注文者ＩＤが「１００１」であり、今回の注文が１回目の食又は朝食である場合、図６の例に基づけば、４番目のレコードが該当レコードとなる。該当レコードが有る場合、服用要否判定部１１４は、今回の注文に係る食の食間に注文者が服用すべき薬（以下、「今回食間薬」という。）は有ると判定する。
【００６６】
今回食間薬が有る場合（Ｓ５０１でＹｅｓ）、服用要否判定部１１４は、食間の服用薬が有るがことを示すメッセージ（すなわち、図２のメッセージｍ２）を薬票データに記録する（Ｓ５０２）。
【００６７】
続いて、図５のステップＳ１１２の詳細について説明する。図１５は、次回服用時期判定処理の処理手順を説明するためのフローチャートである。
【００６８】
ステップＳ６０１において、服用要否判定部１１４は、注文者について当日の残りの食の回数を算出する。当日の残りの食の回数は、食回数判定部１１３によって判定された回数を３より減ずることによって取得すればよい。残りの食の回数が０でない場合（すなわち、まだ３回の食が済んでいない場合）（Ｓ６０２でＹｅｓ）、服用要否判定部１１４は、当日の以後の食に関連して服用すべき薬の有無を判定する（Ｓ６０３）。具体的には、薬情報記憶部１２３の注文者に係るレコードの中で、残りの食のカテゴリ又は回数に対応するレコードが検索される。該当するレコードが検索された場合、服用要否判定部１１４は、以後の食に関連して服用すべき薬は有ると判定する。以後の食に関連して服用すべき薬は無い場合（Ｓ６０３でＮｏ）、又は残りの食の回数が０である場合（Ｓ６０２でＮｏ）、図１５の処理は終了する。
【００６９】
以後の食に関連して服用すべき薬は有る場合（Ｓ６０３でＹｅｓ）、服用要否判定部１１４は、食回数判定部１１３の判定結果（今回の食の回数又はカテゴリ）と標準摂取時間記憶部１２５とを用いて、今回の食の標準摂取時間を判定する（Ｓ６０４）。
【００７０】
図１６は、標準摂取時間記憶部の構成例を示す図である。同図において、標準摂取時間記憶部１２５には、朝食、昼食、及び夕食ごとに、標準開始時間と標準終了時間とが記録されている。標準開始時間と標準終了時間との間が標準摂取時間である。なお、同図では、カテゴリごとにレコードが登録されているが、食の回数ごとにレコードが登録されていてもよい。
【００７１】
したがって、服用要否判定部１１４は、食回数判定部１１３の判定結果を標準摂取時間記憶部１２５に当てはめることにより、今回の食の標準摂取時間（以下、単に「標準摂取時間」という。）を判定する。
【００７２】
続いて、服用要否判定部１１４は、現在時刻が標準摂取時間外であるか否かを判定する（Ｓ６０５）。現在時刻が標準摂取時間外である場合（Ｓ６０２でＹｅｓ）、服用要否判定部１１４は、現在時刻は標準摂取時間に比べて遅れているか否かを判定する（Ｓ６０３）。すなわち、現在時刻が、今回の食に対する標準終了時間より後であるか否かが判定される。現在時刻が標準摂取時間より遅れている場合（Ｓ６０３でＹｅｓ）、服用要否判定部１１４は、ステップＳ６０３の判定結果に基づいて、当日の残りの服用回数及び服用の服用方法を示すメッセージを薬票データに記録する（Ｓ６０７）。当該メッセージは、図２のメッセージｍ３に相当する。なお、当該メッセージは、現在時刻が標準摂取時間外であり、かつ、現在時刻が標準摂取時間に遅れている場合に限って記録される。現在時刻が標準摂取時間外であり、かつ、現在時刻が標準摂取時間に遅れている場合の具体的状況としては、例えば、寝坊等により注文者が昼食時に朝食を摂りに来た場合等である。このような場合、残りの食の摂取が省略される可能性があるため、適切な回数の食の摂取と、薬の服用とを促すため当該メッセージが薬票データに記録される。但し、現在時刻が、標準摂取時間内又は標準摂取時間より前の場合であっても、当該メッセージが薬票データに記録されるようにしてもよい。
【００７３】
続いて、服用要否判定部１１４は、ステップＳ６０３の判定結果に基づいて、以後の食に関連して服用すべき薬のうち、次回に服用すべき薬の服用間隔を薬情報記憶部１２３より取得する（Ｓ６０８）。続いて、服用要否判定部１１４は、次回の薬の服用間隔を現在時刻に加算することにより、次回の薬の服用可能時刻を算出する（Ｓ６０９）。続いて、服用判定部は、算出された服用可能時刻以降を次回の食の推奨時間とし、当該推奨時間を示すメッセージを薬票データに記録する（Ｓ６１０）。当該メッセージは、図２のメッセージｍ４に相当する。
【００７４】
続いて、図５のステップＳ１１３の詳細について説明する。図１７は、在庫確認処理の処理手順を説明するためのフローチャートである。
【００７５】
ステップＳ７０１において、在庫確認部１１７は、今回服用薬レコードより在庫数を取得する。続いて、在庫確認部１１７は、在庫数を所定の閾値と比較する（Ｓ７０２）。所定の閾値は、運用に応じて適切な値を定めればよい。例えば、１日分に相当する数等を閾値としてもよい。在庫数が閾値以下である場合（Ｓ７０２でＹｅｓ）、在庫確認部１１７は、薬の補充を促すメッセージを薬票データに記録する（Ｓ７０３）。当該メッセージは、図２のメッセージｍ５に相当する。なお、在庫数が閾値を超えている場合（Ｓ７０２でＮｏ）、薬の補充を促すメッセージは薬票データには記録されない。
【００７６】
続いて、図５のステップＳ１１４の詳細について説明する。図１８は、薬票出力処理の処理手順を説明するためのフローチャートである。
【００７７】
ステップＳ８０１において、薬票出力部１１８は、薬票データに少なくとも一つのメッセージが記録されているか否かを確認する（Ｓ８０１）。少なくとも一つのメッセージが記録されている場合、薬票出力部１１８は、薬票の出力を薬票出力装置３０に実行させる（Ｓ８０２）。例えば、薬票出力装置３０が単なるプリンタである場合、薬票出力部１１８は、薬票データに基づいて薬票の印刷データを生成し、当該印刷データを薬票出力装置３０に送信する。一方、薬票出力装置３０が、高度な情報処理能力を有する場合、薬票出力部１１８は、薬票出力装置３０に薬票データを送信するだけでもよい。この場合、薬票出力装置３０が薬票データに基づいて印刷データを生成し、薬票を印刷すればよい。
【００７８】
続いて、薬票出力部１１８は、薬票データをメモリ装置１０３より削除することにより、薬票データのメモリ領域を解放する（Ｓ８０３）。
【００７９】
上述したように、本実施の形態によれば、食に該当する品目の注文に応じて、当日の食の回数が判定され、該回数に応じて服用の要否（服用すべき薬の有無）が判定される。服用が必要な場合、服用を促進する情報（本実施の形態における薬票）が出力される。したがって、まさに食を摂ろうとしているタイミングにおいて、服用者に対して薬の服用が必要であることを通知することができる。その結果、薬の飲み忘れを効果的に防止することができる。
【００８０】
但し、前回の食と今回の食との間隔が短い場合、今回の食のタイミングは薬の服用時間として適切でない場合がある。そこで、本実施の形態では、薬の服用間隔に基づいて服用の妥当性が判定され、妥当でないと判定された場合には、薬の服用を促すメッセージは出力されない。その結果、服用者が過剰摂取に近い状態になるのを適切に防止することができる。
【００８１】
また、本実施の形態では、薬の服用間隔に基づいて、次回の服用可能時間を出力する。したがって、服用者は、出力された情報に基づいて、次回の食の摂取に適切な時間を判断することができる。
【００８２】
また、本実施の形態では、当日の残りの食に応じた服用の要否が判定され、その判定結果が出力される。その結果、食の摂取時間が通常より遅れ、例えば夕方に昼食を摂る場合において、まだ服用すべき薬が有ることを服用者に通知することができる。
【００８３】
以上、本発明の実施例について詳述したが、本発明は斯かる特定の実施形態に限定されるものではなく、特許請求の範囲に記載された本発明の要旨の範囲内において、種々の変形・変更が可能である。
【００８４】
以上の説明に関し、更に以下の項を開示する。
（付記１）
注文者の注文者識別情報と注文された品目の品目識別情報との入力を受け付ける入力手段と、
入力された前記品目識別情報と、品目識別情報ごとに品目が薬の服用に関する食に該当するか否かを示す情報を記憶する食条件記憶手段とを用いて、注文された品目が前記食に該当するか否かを判定する判定手段と、
前記食に該当すると判定された場合に、注文者識別情報と注文の履歴情報とを関連付けて記憶する注文履歴記憶手段と、入力された前記注文者識別情報とを用いて、前記注文者の当日の前記食の回数を判定する食回数判定手段と、
判定された回数と、前記食の回数に応じて服用すべき薬に関する情報を記憶する薬情報記憶手段とを用いて、注文に係る前記食に関連して服用すべき薬の有無を判定する服用要否判定手段と、
前記服用要否判定手段による判定結果を出力する出力手段とを有する服用支援装置。
（付記２）
前記薬情報記憶手段は、前記食の回数に応じて服用すべき薬に関する情報として該薬の服用間隔を示す情報を記憶し、
前記服用要否判定手段によって服用すべき薬が有ると判定された場合に、薬の提供時期の履歴情報を記憶した提供履歴記憶手段を用いて、前回の薬の提供時期から前記服用期間が経過しているかを判定する妥当性判定手段を有し、
前記出力手段は、前記服用期間が経過していないと判定された場合は、前記注文に係る前記食に関連して服用すべき薬が有ることを示す情報は出力しない付記１記載の服用支援装置。
（付記３）
前記服用要否判定手段は、前記薬情報記憶手段に記憶されている前記服用期間に基づいて、次回の服用可能時間を算出し、
前記出力手段は、前記服用可能時間を出力する付記２記載の服用支援装置。
（付記４）
前記服用要否判定手段は、前記食回数判定手段によって判定された回数に基づいて、当日の残りの食の回数を算出し、算出された該回数に対応して服用すべき薬の有無を前記薬情報記憶手段を用いて判定する付記１乃至３いずれか一項記載の服用支援装置。
（付記５）
コンピュータに、
注文者の注文者識別情報と注文された品目の品目識別情報との入力を受け付ける入力手順と、
入力された前記品目識別情報と、品目識別情報ごとに品目が薬の服用に関する食に該当するか否かを示す情報を記憶する食条件記憶手段とを用いて、注文された品目が前記食に該当するか否かを判定する判定手順と、
前記食に該当すると判定された場合に、注文者識別情報と注文の履歴情報とを関連付けて記憶する注文履歴記憶手段と、入力された前記注文者識別情報とを用いて、前記注文者の当日の前記食の回数を判定する食回数判定手順と、
判定された回数と、前記食の回数に応じて服用すべき薬に関する情報を記憶する薬情報記憶手段とを用いて、注文に係る前記食に関連して服用すべき薬の有無を判定する服用要否判定手順と、
前記服用要否判定手順による判定結果を出力する出力手順とを実行させるための服用支援プログラム。
（付記６）
前記薬情報記憶手段は、前記食の回数に応じて服用すべき薬に関する情報として該薬の服用間隔を示す情報を記憶し、
前記服用要否判定手順において服用すべき薬が有ると判定された場合に、薬の提供時期の履歴情報を記憶した提供履歴記憶手段を用いて、前回の薬の提供時期から前記服用期間が経過しているかを判定する妥当性判定手順を前記コンピュータに実行させ、
前記出力手順は、前記服用期間が経過していないと判定された場合は、前記注文に係る前記食に関連して服用すべき薬が有ることを示す情報は出力しない付記５記載の服用支援プログラム。
（付記７）
前記服用要否判定手順は、前記薬情報記憶手段に記憶されている前記服用期間に基づいて、次回の服用可能時間を算出し、
前記出力手順は、前記服用可能時間を出力する付記６記載の服用支援プログラム。
（付記８）
前記服用要否判定手順は、前記食回数判定手順において判定された回数に基づいて、当日の残りの食の回数を算出し、算出された該回数に対応して服用すべき薬の有無を前記薬情報記憶手段を用いて判定する付記５乃至７いずれか一項記載の服用支援プログラム。
（付記９）
コンピュータが実行する服用支援方法であって、
注文者の注文者識別情報と注文された品目の品目識別情報との入力を受け付ける入力手順と、
入力された前記品目識別情報と、品目識別情報ごとに品目が薬の服用に関する食に該当するか否かを示す情報を記憶する食条件記憶手段とを用いて、注文された品目が前記食に該当するか否かを判定する判定手順と、
前記食に該当すると判定された場合に、注文者識別情報と注文の履歴情報とを関連付けて記憶する注文履歴記憶手段と、入力された前記注文者識別情報とを用いて、前記注文者の当日の前記食の回数を判定する食回数判定手順と、
判定された回数と、前記食の回数に応じて服用すべき薬に関する情報を記憶する薬情報記憶手段とを用いて、注文に係る前記食に関連して服用すべき薬の有無を判定する服用要否判定手順と、
前記服用要否判定手順による判定結果を出力する出力手順とを有する服用支援方法。
（付記１０）
前記薬情報記憶手段は、前記食の回数に応じて服用すべき薬に関する情報として該薬の服用間隔を示す情報を記憶し、
前記服用要否判定手順において服用すべき薬が有ると判定された場合に、薬の提供時期の履歴情報を記憶した提供履歴記憶手段を用いて、前回の薬の提供時期から前記服用期間が経過しているかを判定する妥当性判定手順を有し、
前記出力手順は、前記服用期間が経過していないと判定された場合は、前記注文に係る前記食に関連して服用すべき薬が有ることを示す情報は出力しない付記９記載の服用支援方法。
（付記１１）
前記服用要否判定手順は、前記薬情報記憶手段に記憶されている前記服用期間に基づいて、次回の服用可能時間を算出し、
前記出力手順は、前記服用可能時間を出力する付記１０記載の服用支援方法。
（付記１２）
前記服用要否判定手順は、前記食回数判定手順において判定された回数に基づいて、当日の残りの食の回数を算出し、算出された該回数に対応して服用すべき薬の有無を前記薬情報記憶手段を用いて判定する付記９乃至１１いずれか一項記載の服用支援方法。
【符号の説明】
【００８５】
１            服用支援システム
１０          服用支援サーバ
２０          注文入力装置
３０          薬票出力装置
４０          在庫管理装置
４１          薬保管庫
１００        ドライブ装置
１０１        記録媒体
１０２        補助記憶装置
１０３        メモリ装置
１０４        ＣＰＵ
１０５        インタフェース装置
１１１        注文情報入力部
１１２        食判定部
１１３        食回数判定部
１１４        服用要否判定部
１１５        服用妥当性判定部
１１６        薬提供処理部
１１７        在庫確認部
１１８        薬票出力部
１２１        注文履歴記憶部
１２２        食条件記憶部
１２３        薬情報記憶部
１２４        薬提供履歴記憶部
１２５        標準摂取時間記憶部
Ｂ            バス
【図１】
2011072749.tif 000003
【図２】
2011072749.tif 000004
【図３】
2011072749.tif 000005
【図４】
2011072749.tif 000006
【図５】
2011072749.tif 000007
【図６】
2011072749.tif 000008
【図７】
2011072749.tif 000009
【図８】
2011072749.tif 000010
【図９】
2011072749.tif 000011
【図１０】
2011072749.tif 000012
【図１１】
2011072749.tif 000013
【図１２】
2011072749.tif 000014
【図１３】
2011072749.tif 000015
【図１４】
2011072749.tif 000016
【図１５】
2011072749.tif 000017
【図１６】
2011072749.tif 000018
【図１７】
2011072749.tif 000019
【図１８】
2011072749.tif 000020